(57)【要約】【課題】光源装置及び光源装置の使用方法を提供する。【解決手段】光源装置は、第一表面と、前記第一表面に相対する第二表面と、前記第一表面及び前記第二表面に接続する入光面とを有し、前記第一表面及び前記第二表面は前記入光面に相対する箇所に接続して尖端を成し、且つ、前記第一表面及び前記第二表面は前記尖端における夾角が０度より大きく且つ２０度以下である導光板と、前記入光面の近傍に配置される少なくとも一つの発光素子と、前記第二表面に配置される反射ユニットと、を含む。【選択図】図１Ａ
2012059699.tif 000002
【特許請求の範囲】
【請求項１】
光源装置であって、
第一表面と、前記第一表面に相対する第二表面と、前記第一表面及び前記第二表面に接続する入光面とを有し、前記第一表面及び前記第二表面は前記入光面に相対する箇所に接続して尖端を成し、且つ、前記第一表面及び前記第二表面は前記尖端における夾角が０度より大きく且つ２０度以下である導光板と、
前記入光面の近傍に配置される少なくとも一つの発光素子と、
前記第二表面に配置される反射ユニットと、
を含む、光源装置。
【請求項２】
前記発光素子は光束を発し、前記光束は前記入光面を経由して前記導光板中に進入し、且つ、前記第一表面を経由して前記導光板から射出し、前記第一表面から射出した前記光束の、最大の光強度を有する中心軸は、前記第一表面の法線に対し、前記入光面から離れる方向に傾斜する、
請求項１に記載の光源装置。
【請求項３】
前記第一表面から射出した前記光束は、前記第一表面及び前記入光面に実質的に垂直である平面上における光強度の半値全幅が９０度以下である、
請求項２に記載の光源装置。
【請求項４】
前記第二表面は、平面である、
請求項１に記載の光源装置。
【請求項５】
前記第二表面は、湾曲凸面である、
請求項１に記載の光源装置。
【請求項６】
前記反射ユニットは、反射片又は反射膜である、
請求項１に記載の光源装置。
【請求項７】
前記発光素子は、発光ダイオードである、
請求項１に記載の光源装置。
【請求項８】
光源装置の使用方法であって、
光源装置を提供するステップであって、前記光源装置は、出光面を有し、且つ、光束を発し、前記光束は、前記出光面から傾斜に射出するステップと、
前記出光面は第一表面に平行であり且つ前記光束は第二表面を傾斜に照射するよう前記光源装置を前記第一表面に配置するステップであって、前記第二表面は、前記第一表面に平行でないステップと、
を含む、光源装置の使用方法。
【請求項９】
前記第一表面は、前記第二表面に実質的に垂直である、
請求項８に記載の光源装置の使用方法。
【請求項１０】
前記第一表面は、壁面であり、前記第二表面は、卓面である、
請求項８に記載の光源装置の使用方法。
【請求項１１】
前記第一表面は、天井板であり、前記第二表面は、壁面である、
請求項８に記載の光源装置の使用方法。
【請求項１２】
前記光束の光強度の半値全幅は、９０度以下である、
請求項８に記載の光源装置の使用方法。
【請求項１３】
前記光源装置は、
第三表面と、前記第三表面に相対する第四表面と、前記第三表面及び前記第四表面に接続する入光面とを有し、前記第三表面及び前記第四表面は前記入光面に相対する箇所に接続して尖端を成し、前記第三表面及び前記第四表面は前記尖端における夾角が０度より大きく且つ２０度以下であり、前記第三表面は前記出光面である導光板と、
前記入光面の近傍に配置される少なくとも一つの発光素子と、
前記第四表面に配置される反射ユニットと、
を含む、
請求項８に記載の光源装置の使用方法。
【請求項１４】
前記発光素子は前記光束を発し、前記光束は前記入光面を経由して前記導光板中に進入し、且つ、前記第三表面を経由して前記導光板から射出し、前記第三表面から射出した前記光束の、最大の光強度を有する中心軸は、前記第三表面の法線に対し、前記入光面から離れる方向に傾斜する、
請求項１３に記載の光源装置の使用方法。
【請求項１５】
前記第四表面は、平面である、
請求項１３に記載の光源装置の使用方法。
【請求項１６】
前記第四表面は、湾曲凸面である、
請求項１３に記載の光源装置の使用方法。
【請求項１７】
前記反射ユニットは、反射片又は反射膜である、
請求項１３に記載の光源装置の使用方法。
【請求項１８】
前記発光素子は、発光ダイオードである、
請求項１３に記載の光源装置の使用方法。
【請求項１９】
前記光源装置は、平板状のランプである、
請求項８に記載の光源装置の使用方法。
【請求項２０】
前記光源装置を前記第一表面に配置するステップは、
前記光源装置を前記第一表面に平らに貼ること、又は、前記光源装置を前記第一表面に嵌入することを含む、
請求項１９に記載の光源装置の使用方法。
【発明の詳細な説明】
【技術分野】
【０００１】
本発明は、光源装置及び光源装置の使用方法に関する。
【背景技術】
【０００２】
光電技術の進歩に伴って伝統の白熱電灯及び蛍光灯を置換するための次世代光源である発光ダイオード（ＬＥＤ）に関する技術は次第に成熟しつつある。発光ダイオードは、電力消耗が少なく、体積が小さく、熱による発光でなく、環境に優しいなどの利点を有するため、その応用分野は幅広くなっている。
【０００３】
発光ダイオードの体積は小さいので、発光ダイオードを採用するランプの外形は、伝統のランプの形状に限られず、変化することができる。そのうち、厚みが比較的薄い平板状の発光ダイオード照明器具は消費者に歓迎されている。
【０００４】
従来の平板状の照明器具から発した光の形状は、通常、対称であり、このような形状は、特定の領域の照明に適しない。なぜなら、この種の形状の下で、一部の光のみが特定の領域に伝播し、他の大部分の光が他の領域へ射出するからであり、これにより、無効な光が生じ、エネルギーの浪費を招く。また、上述の特定の領域に十分な照度を持たせるよう平板状の照明器具との距離を短くしても、上述の無効な光は、使用者の目を直接照射しやすくなり、グレア（glare）を来たし、これにより、人の目に不快感を与えてしまう。
【０００５】
また、平板状の照明器具が卓上電気スタンドとして使用されるときに、平板状の照明器具は卓の真上に置かれ、これにより、卓上空間が占用され、且つ、使用上の柔軟性も制約される。
【０００６】
特許文献１には、導光板を採用して光線を導く照明装置が開示されている。
【先行技術文献】
【特許文献】
【０００７】
【特許文献１】米国特許公開第２０１０／０１６５６６１号
【発明の概要】
【発明が解決しようとする課題】
【０００８】
本発明の目的は、傾斜出光の効果を有する光源装置を提供することにある。
【０００９】
本発明のもう一つの目的は、エネルギーを節約し、空間を占用せず、及び、照明が充分である効果を有する光源装置の使用方法を提供することにある。
【００１０】
本発明の他の目的と利点については、本発明に開示される技術的特徴から更なる理解を得ることができる。
【課題を解決するための手段】
【００１１】
上述の一又は部分又は全部の目的若しくは他の目的を達成するために、本発明の一実施例は、光源装置を提供する。この光源装置は、導光板と、少なくとも一つの発光素子と、反射ユニットとを含む。導光板は、第一表面と、第一表面に相対する第二表面と、第一表面及び第二表面に接続する入光面とを有する。第一表面及び第二表面は、入光面に相対する箇所に接続して尖端を成し、且つ、第一表面及び第二表面は、尖端における夾角が０度より大きく且つ２０度以下である。発光素子は、入光面の近傍に配置され、且つ、反射ユニットは、第二表面に配置される。
【００１２】
本発明のもう一つの実施例は、光源装置の使用方法を提供する。この光源装置の使用方法は、光源装置を提供するステップであって、光源装置は、出光面を有し、且つ、光束を発し、光束は、出光面から傾斜に射出するステップと、出光面は第一表面に実質的に平行であり且つ光束は第二表面を傾斜に照射するよう光源装置を第一表面に配置するステップであって、第二表面は第一表面に平行でないステップとを含む。
【発明の効果】
【００１３】
本発明の実施例は、以下の利点又は効能の少なくとも一つを達成することができる。本発明の実施例による光源装置では、導光板の第一表面及び第二表面が入光面から離れる箇所に接続して尖端を成すので、光束が第一表面から尖端への方向に沿って有効に傾斜に射出することができ、これにより、光束が入光面から離れる導光板の一端から漏れる可能性を有効に低下させることができる。これにより、本発明の実施例による光源装置は、傾斜照明を提供する場合でも比較的に高い光効率を維持することができ、且つ、第一表面から射出する光束の光束密度を上げることができる。また、光源装置からの光束は、比較的に集中的であるため、特定の領域を集中的に照明するために用いられることができ、これにより、無効な光の発生が抑えられ、効率向上及び省エネルギーの効果を実現することができる。また、本発明の実施例による光源装置の使用方法を採用することにより、光束は、照明待ちの物体を集中的に傾斜に照射することができるので、無効な光の発生を有効に避け、エネルギーを節約することができる。或いは、他の角度から見れば、本発明の実施例による光源装置の使用方法は、比較的に少ない発光素子を使用して、照明待ちの物体に対して充分な照明を提供することができるので、光源装置のコストを有効に下げることができる。また、本発明の実施例による光源装置の使用方法を採用することにより、光束は、照明待ちの物体を集中的に傾斜に照射することができるので、照明待ちの物体の近傍に位置する使用者の目には、光源装置を直視する時にグレアの現象が生じることがない。よって、本発明の実施例による使用方法を以って照明装置を使用するときに、使用者の目は、快適な状態を保つことができる。
【図面の簡単な説明】
【００１４】
【図１Ａ】本発明の一実施例による光源装置の断面図である。
【図１Ｂ】図１Ａの光源装置の斜視図である。
【図２】図１Ａの光源装置からの光の分布図である。
【図３】本発明の一実施例による光源装置の使用方法を示す図である。
【図４Ａ】本発明のもう一つの実施例による光源装置の使用方法を示す図である。
【図４Ｂ】本発明のもう一つ実施例による光源装置の使用方法を示す図である。
【図５】本発明の他の実施例による光源装置の使用方法を示す図である。
【図６】本発明の他の実施例による光源装置の使用方法を示す図である。
【図７】本発明の他の実施例による光源装置の断面図である。
【発明を実施するための形態】
【００１５】
次に、添付した図面を参照しながら、本発明の好適な実施形態を詳細に説明する。
【００１６】
なお、次の各実施例の説明は、添付した図面を参照して行われたものであり、本発明の実施可能な特定の実施例を例示するために用いられる。また、次の各実施例に言及した方向の用語、例えば、上、下、前、後、左、右などは、添付した図面の方向を参考するためのもののみである。よって、以下に使用された方向の用語は、説明のために用いられ、本発明を限定するためのものでない。
【００１７】
図１Ａは、本発明の一実施例による光源装置の断面図であり、図１Ｂは、図１Ａの光源装置の斜視図であり、そのうち、図１Ａは、図１Ｂの光源装置のＩ−Ｉ線に沿った断面図である。図１及び図２を参照する。本実施例による光源装置１００は、導光板１１０、少なくとも一つの発光素子１２０（図１Ｂには、複数の発光素子１２０を例とする）、及び反射ユニット１４０を含む。導光板１１０は、第一表面１１２、第一表面１１２に相対する第二表面１１４、及び、第一表面１１２及び第二表面１１４に接続する入光面１１６を有する。第一表面１１２及び第二表面１１４は入光面１１６に相対する箇所に接続して尖端Ｔを成し、且つ、第一表面１１２及び第二表面１１４は尖端Ｔにおける夾角θが０度より大きく且つ２０度以下である。発光素子１２０は、入光面１１６の近傍に配置され、且つ、反射ユニット１４０は、第二表面１１４に配置される。
【００１８】
本実施例では、発光素子１２０は、例えば、発光ダイオードであり、且つ、発光素子１２０は、基板１３０上に設けられても良く、そのうち、基板１３０は、例えば、回路板である。しかし、他の実施例では、発光素子１２０は、冷陰極蛍光ランプ又は他の適切な発光素子であってもよい。本実施例では、反射ユニット１４０は、例えば、反射片である。しかし、他の実施例では、反射ユニット１４０は、反射膜であっても良い。また、本実施例では、第二表面は、例えば、平面であるが、本発明は、これに限られない。また、反射ユニット１４０は、例えば、白色反射片、銀色反射片、銀メッキ膜又はアルミニウムメッキ膜である。或いは、反射ユニット１４０は、反射率が９０％を超える反射片又は反射膜であっても良い。
【００１９】
本実施例では、発光素子１２０は、光束１２２を発し、光束１２２は、入光面１１６を経由して導光板１１０中に進入し、且つ、第一表面１１２を経由して導光板１１０から射出する。具体的に言えば、入光面１１６から第一表面１１２へ傾斜に射出する光束１２２は、一部が第一表面１１２により屈折され第一表面１１２から導光板１１０の外へ傾斜に射出し、他の一部が第一表面１１２により反射され第二表面１１４に到着する。入光面１１６及び第一表面１１２から且つ第二表面１１４への光束１２２は、反射ユニット１４０により反射され第一表面１１２に到着し、且つ、それから、一部の光束１２２は、第一表面１１２により屈折されて導光板１１０の外へ射出し、他の一部の光束１２２は、第一表面１１２により反射され第二表面１１４に到着する。上述の導光板１１０の光学作用により、光束１２２は、第一表面１１２から導光板１１０の外へ傾斜に射出することができる。即ち、第一表面１１２から射出した光束１２２の、最大の光強度を有する中心軸Ｃは、第一表面１１２の法線Ｎに対して、入光面１１６から離れる方向に傾斜する。
【００２０】
図２は、図１Ａの光源装置１００からの光の分布図である。図１Ａ、図１Ｂ及び図２を参照する。図２では、径方向は、第一表面１１２から射出した光束１２２の光強度を示し、円周方向は、光束１２２が第一表面１１２に対する射出角度を示す。図２中の実曲線は、ｘｙ平面に平行であり且つ導光板１１０の中心を通る平面上の光分布を表し、そのうち、０度は、＋ｙ方向を表し、９０度は、＋ｘ方向を表し、１８０度は、−ｙ方向を表す。また、図２中の点曲線は、ｚｘ平面に平行であり且つ導光板１１０の中心を通る平面上の光分布を表し、そのうち、０度は、＋ｚ方向を表し、９０度は、＋ｘ方向を表し、１８０度は、−ｚ方向を表す。図１Ａ及び図１Ｂ中のｘ方向、ｙ方向は、ｚ方向と互いに垂直である。本実施例では、入光面１１６は、ｘｚ平面に実質的に平行であり、且つ、第一表面１１２は、ｙｚ平面に実質的に平行である。図２によれば、本実施例による光源装置１００は、光束１２２を傾斜に射出させる効果を確かに実現することができ、且つ、光の形状はｘｙ平面において左右対称でないことが分かっている。
【００２１】
本実施例による光源装置１００に、より良い傾斜射出の効果を持たせるために、本実施例では、第一表面１１２から射出した光束１２２が第一表面１１２及び入光面１１６に実質的に垂直である平面（即ち、ｘｙ平面に平行である平面）上における光強度の半値全幅 (full width at half maximum、FWHM)は、９０度以下である。ここでは、光強度の半値全幅は、光束１２２が各種の異なる角度における光強度のうち光束１２２の最大の強度の半分以上である角度の範囲と定義される。例えば、一実施例では、光束１２２のうち光強度が最大である方向は、ｘｙ平面上において図２の４５度に対応する方向であり、このとき、半値全幅が９０度以下であることは、光束１２２のうち光強度が４５度方向の光強度の半分以上である光束１２２の角度範囲が０度より大きく且つ９０度以下である範囲内にあることを表す。一実施例では、光源装置１００に、比較的に良い傾斜射出の効果を持たせるために、第一表面１１２と第二表面１１４との夾角は、０度より大きく且つ１５度以下であると設定されても良く、或いは、ひいては、０度より大きく且つ１２度以下であると設定されても良い。
【００２２】
本実施例では、導光板１１０の第一表面１１２及び第二表面１１４は、入光面１１６から離れる箇所に尖端Ｔを成すので、光束１２２を第一表面１１２から尖端Ｔへの方向に沿って有効に傾斜に射出させることができ、これにより、光束１２２が入光面１１６から離れる導光板１１０の一端から漏れる可能性を有効に下げることができる。これにより、本実施例の光源装置１００は、傾斜照明を提供する場合でも比較的に高い光効率を維持することができ、且つ、第一表面１１２から射出する光束１２２の光束密度を上げることができる。また、入光面１１６から離れる導光板１１０の一端は尖端Ｔを成すので、入光面１１６から離れる導光板１１０の一端は、光を入光面１１６の一端へ反射することがなく、本来の光の形状の左右対称でない効果を破壊することがない。言い換えると、本実施例による光源装置１００は、指向性のある非対称照明を生成することができる。また、光源装置１００からの光束１２２は比較的に集中的であるため、特定の領域を集中的に照明するために用いられことができ、これにより、無効な光の発生が抑えられ、効率向上及びエネルギー節約の効果を達成することができる。また、本実施例では、導光板１００の製作は一体成型によるので、製作プロセスは、比較的に簡単であり、これにより、製作コストを削減することができる。
【００２３】
図３は、本発明の一実施例による光源装置の使用方法を示す図である。図１Ａ、図１Ｂ及び図３を参照する。本実施例による光源装置の使用方法は、図１Ａの光源装置１００に応用されても良い。本実施例による使用方法は、次のステップを含む。まず、上述の光源装置１００を提供し、そのうち、光源装置１００は、出光面（即ち、導光板１１０の第一表面１１２）を有し、且つ、光束１２２を発する。光束１２２は、出光面（即ち、導光板１１０の第一表面１１２）から傾斜に射出する。続いて、出光面（即ち、導光板１１０の第一表面１１２）が第一表面２１０にほぼ平行であり且つ光束１２２が第二表面３１０を傾斜に照射するよう光源装置１００を第一表面２１０に配置し、そのうち、第一表面３１０は、第一表面２１０に平行でない。本実施例では、第一表面２１０は、例えば、物体２００の表面であり、第二表面３１０は、例えば、もう一つの物体３００の表面３１０である。例えば、物体２００は壁である場合、第一表面２１０は壁面であり、物体３００は床板である場合、表面３１０は地面である。しかし、第一表面２１０は、他の物体の表面であっても良く、例えば、天井板、家具表面、又は、光源装置１００が固定され得る他の物体の表面であっても良く、また、第二表面３１０は、他の物体の表面であっても良く、例えば、卓面、他の家具表面、壁面、照明待ちの物体表面、又は、照明待ちの物体を積載可能な物体表面であっても良い。本実施例では、第一表面２１０は、第二表面３１０に実質的に垂直であるが、本発明は、これに限られない。
【００２４】
本実施例では、光源装置１００は、例えば、平板状のランプであり、且つ、光源装置１００を第一表面２１０に配置する方法は、光源装置１００を第一表面に平らに貼ることを含む。このようにして、光源装置１００は、第一表面２１０に配置される照明待ちの物体６０の上方の空間を占用することがなく、使用者に視覚上で空間が比較的に広いように感じさせることができる。他の実施例では、光源装置１００を第一表面２１０に嵌入させても良い。例えば、光源装置１００を壁面に嵌入させ、また、導光板１１０の第一表面１１２を壁面とほぼ同じ平面に位置させてもよく、これにより、さらに空間節約の効果を達成することができ、また、環境美化の効果を達成することもできる。
【００２５】
また、光源装置１００は、光束１２２を、壁面（即ち、第一表面２１０）から地面（即ち、第二表面３１０）へ傾斜に射出させるので、室外の太陽光が窓を経由して室内へ傾斜に射入する効果をシミュレーションすることができる。言い換えると、光源装置１００は、自然光源をシミュレーションすることができ、これにより、室内環境の美化の効果を達成することができる。本実施では、光束１２２のうち光線Ｌ１及びＬ２の光強度は、光束１２２の最大の光強度の半分であるので、角度範囲ψは、光束１２２の半値全幅である。本実施例では、角度範囲ψは、０度より大きく且つ９０度以下である。このようにして、光束１２２は、照明待ちの物体６０を集中的に照射することができ、これにより、無効な光の発生を避け、エネルギーを節約することができる。或いは、他の角度から見れば、比較的に少ない発光素子１２０を使用することにより、照明待ちの物体６０に充分な照明を提供することができるので、光源装置１００のコストを有効に下げることができる。また、光束１２２は照明待ちの物体６０を集中的に傾斜に照射するので、照明待ちの物体６０の近傍に位置する使用者の目５０には光源装置１００を直視する時にグレアの現象が生じることがない。よって、本実施例の使用方法を以って照明装置１００を使用するときに、使用者の目５０は、快適な状態を保つことができる。
【００２６】
本実施例では、第一表面２１０はｙｚ平面に実質的に平行であり、第二表面３１０はｘｚ平面に実質的に平行である。また、ｘ方向、ｙ方向及びｚ方向は、図１Ａ及び図１Ｂ中の方向の定義と同じであるため、ここではその説明を略す。
【００２７】
図４Ａ及び図４Ｂは、本発明のもう一つの実施例による光源装置の使用方法を示す図であり、そのうち、図４Ａは、斜視図であり、図４Ｂは、側面図である。図４Ａ及び図４Ｂを参照する。本実施例による光源装置の使用方法は、図３に示す実施例と類似するが、両者の相違点は、本実施例において物体３００ａが卓であり、第二表面３１０ａが卓面であり、また、物体２００ａが壁であり、第一表面２１０ａが卓の近傍の壁面であり、且つ、光源装置１００が第一表面２１０ａに設けられることにある。光源装置１００からの光束１２２が第二表面３１０ａを集中的に傾斜に照射するので、使用者が観察方向Ｖ１で光源装置１００を直視する時にグレアが生じることがない。また、使用者が観察方向Ｖ２で第二表面３１０ａ（即ち、卓面）を直視し、又は、卓面上の部品又は本を直視する時に充分な照明も提供され得る。これにより、光源装置１００は、室外の太陽光が窓を経由して卓面上に着く効果をシミュレーションすることができるので、使用者に、自然光の環境で卓面上の部品を閲覧又は使用するように感じさせることができる。
【００２８】
図５は、本発明の他の実施例による光源装置の使用方法を示す図である。図５を参照する。本実施例による光源装置の使用方法は、図３に示す実施例と類似するが、両者の相違点は、本実施例において第一表面２１０ｂが天井板であり、第二表面３１０ｂが壁面であることにある。光源装置１００からの光束１２２は、壁面（即ち、第二表面３１０）の領域Ｒを傾斜に照射するので、光を以って壁を洗うような効果を生成させることができる。言い換えると、光源装置１００は、壁を洗うランプとして使用され得るので、環境美化の効果を達成することができる。
【００２９】
図６は、本発明の他の実施例による光源装置の使用方法を示す図である。図６を参照する。本実施例による光源装置の使用方法は、図３に示す実施例と類似するが、両者の相違点は、本実施例において第一表面２１０ｃがキッチン中の上戸棚７０と下戸棚３００ｃとの間の壁面であり、第二表面３１０ｃが下戸棚３００ｃの上表面、即ち、板置き台の台面であることにある。第一表面２１０ｃに平らに貼る光源装置１００は、板置き台の台面を傾斜に照明して充分な照明を提供することができ、また、グレアを生じさせないため使用者の目に不快感を与えることがない。他の実施例では、光源装置１００は、上戸棚７０の底面に設けられ、壁面を傾斜に照明し、又は、壁面及び一部の板置き台の台面を傾斜に照明することができる。
【００３０】
図７は、本発明の他の実施例による光源装置の断面図である。図７を参照する。本実施例による光源装置１００ｄは、図１Ａに示す光源装置１００と類似するが、両者の相違点は、次のようである。本実施例では、導光板１１０ｄの第二表面１１４ｄが湾曲凸面であり、例えば、ｘｙ平面に湾曲し且つｚ方向に湾曲しない湾曲凸面である。また、反射ユニット１４０ｄが第二表面１１４ｄの湾曲に伴って湾曲する。また、本実施例では、第一表面１１２及び第二表面１１４ｄが接続して成す尖端Ｔ′の夾角θ′は０度より大きく且つ２０度以下である。夾角θ′は、例えば、第一表面１１２が図７において＋ｙ方向へ延伸する延伸面と、第二表面１１４ｄが尖端Ｔ′に近い箇所の接平面Ｅとの夾角である。本実施例による光源装置１００ｄは、図１Ａに示す光源装置１００と類似する利点及び効能を達成こともできるため、ここでは、その説明を略す。
【００３１】
また、図３乃至図６に示す実施例による光源装置の使用方法は、図７の光源装置１００ｄ又は傾斜照明を提供できる他の光源装置に応用されても良く、例えば、図７中のｘ、ｙ、ｚ方向を参考し、それらの方向を図３中のｘ、ｙ、ｚ方向と一致するようにさせることにより、図７の光源装置１００ｄを図３に示す光源装置の使用方法に応用することができる。
【００３２】
以上述べたところを総合すれば、本発明の実施例は、以下の利点又は効能の少なくとも一つを達成することができる。本発明の実施例による光源装置では、導光板の第一表面及び第二表面が入光面から離れる箇所に接続して尖端を成すので、光束が第一表面から尖端への方向に沿って有効に傾斜に射出することができ、これにより、光束が入光面から離れる導光板の一端から漏れる可能性を有効に低下させることができる。これにより、本発明の実施例による光源装置は、傾斜照明を提供する場合でも比較的に高い光効率を維持することができ、且つ、第一表面から射出する光束の光束密度を上げることができる。また、光源装置からの光束は、比較的に集中的であるため、特定の領域を集中的に照明するために用いられることができ、これにより、無効な光の発生が抑えられ、効率向上及び省エネルギーの効果を実現することができる。また、本発明の実施例による光源装置の使用方法を採用することにより、光束は、照明待ちの物体を集中的に傾斜に照射することができるので、無効な光の発生を有効に避け、エネルギーを節約することができる。或いは、他の角度から見れば、本発明の実施例による光源装置の使用方法は、比較的に少ない発光素子を使用して、照明待ちの物体に対して充分な照明を提供することができるので、光源装置のコストを有効に下げることができる。また、本発明の実施例による光源装置の使用方法を採用することにより、光束は、照明待ちの物体を集中的に傾斜に照射することができるので、照明待ちの物体の近傍に位置する使用者の目には、光源装置を直視する時にグレアの現象が生じることがない。よって、本発明の実施例による使用方法を以って照明装置を使用するときに、使用者の目は、快適な状態を保つことができる。
【００３３】
本発明は、上述した好適な実施例に基づいて以上のように開示されたが、上述した好適な実施例は、本発明を限定するためのものでなく、当業者は、本発明の精神と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の部分と発明の名称は、文献の検索を助けるためのみのものであり、本発明の権利範囲を限定するものでない。
【符号の説明】
【００３４】
５０  目
６０  照明待ちの物体
７０  上戸棚
１００、１００ｄ  光源装置
１１０  導光板
１１２  導光板の第一表面
１１４、１１４ｄ  導光板の第二表面
１１６  入光面
１２０  発光素子
１２２  光束
１３０  基板
１４０、１４０ｄ  反射ユニット
２００、２００ａ、３００、３００ａ  物体
２１０、２１０ａ、２１０ｂ、２１０ｃ  第一表面
３００ｃ  下戸棚
３１０、３１０ａ、３１０ｂ、３１０ｃ  第二表面
Ｃ  中心軸
Ｅ  接平面
Ｌ１、Ｌ２  光線
Ｎ  法線
Ｒ  領域
Ｔ、Ｔ′  尖端
Ｖ１、Ｖ２  観察方向
θ、θ′  夾角
ψ  角度範囲
【図１Ａ】
2012059699.tif 000003
【図１Ｂ】
2012059699.tif 000004
【図２】
2012059699.tif 000005
【図３】
2012059699.tif 000006
【図４Ａ】
2012059699.tif 000007
【図４Ｂ】
2012059699.tif 000008
【図５】
2012059699.tif 000009
【図６】
2012059699.tif 000010
【図７】
2012059699.tif 000011